(57)【要約】【課題】ＬＥＤによる釣り用発光オモリを改良することを可能とする。【解決手段】トップキャップ部の外周にトップキャップフィン（翼）を設け、下部にはネジ山を設け、ＬＥＤ光拡散合成樹脂製本体部は、ＬＥＤ光を外部に照射するものであり、その上下にはネジ溝を設け、樹脂製オモリ台は、上部にネジ山を設け、その中心から下方に向かってボルトを固定し、オモリ部は、タングステンカーバイドからなり、その中心にはボルトを通す穴を設け、ボトムキャップ部には、上部の中心にボルトと係合するネジ溝を設け、さらにその外周にボトムキャップフィン（翼）を設け、トップキャップ部とＬＥＤ光拡散合成樹脂製本体部とはＯリングを介して系合し、ＬＥＤ光拡散合成樹脂製本体部下部のネジ溝と樹脂製ベース部上部のネジ山とで係合し、樹脂製ベース部下部のボルトにオモリ部を挿入し、四角ナットで固定し、さらにボトムキャップ部のネジ溝に係合することを特徴とする。【選択図】図１
2013192520.tif 000002
【特許請求の範囲】
【請求項１】
トップキャップ部、ＬＥＤ光拡散合成樹脂製本体部、樹脂製オモリ台、オモリ部、およびボトムキャップ部から構成されたＬＥＤによる釣り用発光オモリであって、
トップキャップ部には、上部に道糸フックおよび道糸取り付け穴を設け、その外周にトップキャップフィン（翼）を設け、さらに下部にネジ山を設け、
ＬＥＤ光拡散合成樹脂製本体部は、内部にＬＥＤおよび電池等を設け、ＬＥＤ光を外部に照射するものであり、その上下には、ネジ溝を設け、
樹脂製ベース部は、上部にネジ山を設け、その中心から下方に向かってボルトを固定し、
オモリ部は、タングステンカーバイドからなり、その中心にボルトを通す穴を設け、
ボトムキャップ部には、上部の中心にボルトと係合するネジ溝を設け、その外周にボトムキャップフィン（翼）を設け、
トップキャップ部とＬＥＤ光拡散合成樹脂製本体部とは、Ｏリングを介して系合し、
ＬＥＤ光拡散合成樹脂製本体部下部のネジ溝と樹脂製ベース部上部のネジ山とで係合し、
樹脂製オモリ台下部のボルトにオモリ部を挿入し、次いで四角ナットで固定し、さらに
ボトムキャップ部のネジ溝に係合することを特徴とするＬＥＤによる釣り用発光オモリ。
【請求項２】
請求項１記載の樹脂製オモリ台およびオモリ部は、各種号数のオモリに対応したものであり、各種号数のオモリの中から必要に応じて、１個のオモリを選択して使用することを特徴とするＬＥＤによる釣り用発光オモリ。
【請求項３】
請求項２記載の樹脂製オモリ台およびオモリ部には、各種号数のオモリに対して、さらにオモリを追加して、２個以上のオモリを装着することができることを特徴とするＬＥＤによる釣り用発光オモリ。
【発明の詳細な説明】
【技術分野】
【０００１】
本発明は、ＬＥＤによる釣り用発光オモリの改良に関するものである。
【背景技術】
【０００２】
釣り用オモリは、一般的に釣針に餌をつけた仕掛けを海中に沈めるために必要なものであって、その形状は、ナス型・小田原型・タイコ型・舵付き型・胴突き型・中オモリ型・ビシカゴ型などの様々なのものが使用されている。
これらの釣り用オモリは、いずれも鉛製である。
【０００３】
また、近年多くの釣り用オモリに使用されている鉛が、人体や環境に悪影響を与えていることが危惧されているが、いまだにほとんどの釣り用オモリは鉛でできている。
なお、鉛でなく水に溶け難い材料（金属、合金）を使用したオモリも提案されている（特許文献１）。
【０００４】
近年、発光体を組み込んだ釣り用オモリも提案されている。
これは、合成樹脂製と鉛製からなる容器の内部に発光体として発光ダイオードを組み込んだ釣り用オモリである（特許文献２）。
【０００５】
さらに、前記釣り用オモリを改良するものとして、合成樹脂製と鉛製の組合せからなるオモリの内部に発光体と電池を組込み、オモリの外面にスイッチ回路としての金属製の外部端子を設けた発光体つき釣り用オモリも提案されている（特許文献３）。
この例も、発光体として発光ダイオードを使用している。また、この例は、発光体を点灯するのにトランジスタ回路を使用する例も示されている。
【０００６】
一方、本発明者等は、ＬＥＤによる釣り用発光オモリを提案した。
即ち、上蓋オモリ部、ＬＥＤ拡散合成樹脂製本体部、および下蓋オモリ部からなり、
上蓋オモリ部はステンレスからなり、その上部に道糸取り付け穴を形成した道糸フックを設け、ＬＥＤ拡散合成樹脂製本体部はＬＥＤ拡散用の透明合成樹脂からなり、その内部に発光ＬＥＤ基板を設け、基板の上部には、複数個の発光ＬＥＤ、電極ソケット端子を設け、基板の下部には円筒形の電極支柱を設け、電極支柱の外側下部に電極を設け、上蓋オモリ部とＬＥＤ拡散合成樹脂製本体部とはＯリングを介して系合し、下蓋オモリ部はステンレスからなり、その上部に円形の凹部を形成し、円柱形のバッテリーを下蓋オモリ部の凹部に収納し、バッテリー上部を電極支柱に下方から挿入し、ＬＥＤ拡散合成樹脂製本体部と下蓋オモリ部とはＯリングを介して系合することを特徴とするものである（特許文献４）。
【先行技術文献】
【特許文献】
【０００７】
【特許文献１】特開平１１−２２５６３９号公報
【特許文献２】実開昭６３−０９２５６９号公報
【特許文献３】実開平０４−００６６７１号公報
【特許文献４】特開２０１１−１６０７４１号公報
【発明の概要】
【発明が解決しようとする課題】
【０００８】
解決しようとする問題点は、以下のとおりである。
（１）ＬＥＤによる釣り用発光オモリは、沈下時にブレる。
（２）ＬＥＤによる釣り用発光オモリは、釣り船で落としたりすると、船内で転がる。
（３）ＬＥＤによる釣り用発光オモリは、沈下速度が、まだ不十分である。
【課題を解決するための手段】
【０００９】
本発明は、ＬＥＤによる釣り用発光オモリにおいて、上部および下部にフィン（翼）を設けたことを最も主要な特徴とする。
また、ＬＥＤによる釣り用発光オモリのオモリとして、ステンレス素材に変えて、金属では金や白金の次に比重の高いタングステンカーバイドを使用したことを特徴とする。
【発明の効果】
【００１０】
本発明のＬＥＤによる釣り用発光オモリは、以下のとおりの効果を奏する。
（１）上部および下部にフィン（翼）を設けたことにより、安定した沈下が可能である。
（２）また、フィン（翼）が有ることにより、船内で転がったりしない。
（３）比重の高いタングステンカーバイドを使用したことにより、沈下速度が速い。
（４）特に、カレイ釣りのような、底狙いで、竿を上下させて誘う釣りなどでは、比重の高いタングステンカーバイドのために、上下させても底に素早く落ちるので、釣果につながる。
【図面の簡単な説明】
【００１１】
【図１】図１は、ＬＥＤによる釣り用発光オモリの全体形状の側面図である。（実施例１）
【図２】図２は、ＬＥＤによる釣り用発光オモリの分解斜視図である。（実施例１）
【図３】図３は、ＬＥＤによる釣り用発光オモリおいて、オモリの号数を交換できることを示す説明図である。（実施例２）
【図４】図４は、ＬＥＤによる釣り用発光オモリおいて、２０号オモリに、さらに１０号オモリを追加できることを示す説明図である。（実施例３）
【図５】図５は、ＬＥＤによる釣り用発光オモリの各号数のオモリおいて、１０号オモリをさらに追加できることを示す模式図である。（実施例４）
【図６】図６は、ＬＥＤによる釣り用発光オモリおいて、フィン（翼）の有り、無しによる沈下軌跡の比較を示すグラフである。（実施例５）
【図７】図７は、ＬＥＤによる釣り用発光オモリおいて、フィン（翼）の有り、無しによる沈下速度の比較を示すグラフである。（実施例５）
【発明を実施するための形態】
【００１２】
本発明は、ＬＥＤによる釣り用発光オモリの改良に関するものであり、トップキャップ部、ＬＥＤ光拡散合成樹脂製本体部、樹脂製オモリ台、オモリ部、およびボトムキャップ部からなる上下５段構造にすることにより実現した。
形としては、円柱形のやや大きめな長めの構造のものである。
以下、本発明の実施の形態を図面を参照して具体的に説明する。
【実施例１】
【００１３】
図１は、本発明のＬＥＤによる釣り用発光オモリの１実施例の全体形状の側面図であり、図２は、その分解斜視図である。
図において、１はトップキャップ部、２はＬＥＤ光拡散合成樹脂製本体部、３は樹脂製オモリ台、４はオモリ部、および５はボトムキャップ部である。
トップキャップ部１は、その上部に道糸フック部６を形成し、その中央に道糸取り付け穴７を設け、その下部にＬＥＤ光拡散合成樹脂製本体部２の上部とＯリング８を介して結合するためのネジ山が形成されている。
そして、その外周には、トップキャップフィン（翼）９が形成されている。この実施例１においては、４枚のフィン（翼）９が形成されている。
このトップキャップ部１は、樹脂製であり、実施例１においては、ポリカーボネイトにより製作されている。
【００１４】
ＬＥＤ光拡散合成樹脂製本体部２は、筒状の透明合成樹脂製であり、上下の内側にはネジ溝が形成されている。
また、ＬＥＤ光拡散合成樹脂製本体部２の外側の表面には摺りを入れ、内側の表面には細かな溝を入れることにより、光の拡散性に優れ、ＬＥＤ拡散用合成樹脂製本体部２の全体が発光するような仕組みにすることも可能である（特許文献４を参照）。
【００１５】
ＬＥＤ光拡散合成樹脂製本体部２の内部には、ＬＥＤおよび電池１０を収納し、ＬＥＤが発光するための基板や回路が設けられている。
その詳細は、前出願（特許文献４）と同じなので、詳細は省略する。
ＬＥＤの発光色は、実績の多い、赤、緑、白、青の各色から選択できる。
電池１０は、釣り用電気ウキ用に市販されているリチウムバッテリーを使用しているので、購入が容易である。
そして、電池１０の抜き差しにより、電源のＯＮ・ＯＦＦが容易にできる。
【００１６】
樹脂製オモリ台３は、上部にネジ山を設け、その中心から下方に向かってボルト１１を固定する。この樹脂製ベース３は、実施例１においては、ポリカーボネイトにより製作されている。
オモリ部４は、タングステンカーバイド製であり、その中心にはボルトを通す穴を設けている。オモリ部４は、タングステンカーバイド粉末から焼結成形により作製する。
なお、樹脂製オモリ台３とオモリ部４とは、各種号数のオモリに対応したものであり、樹脂製オモリ台３は各種号数のオモリの重量に耐える強度を有し、そのオモリに応じてボルト１１の長さも異なるものである。
ボトムキャップ部５は、上部の中心にボルト１１と係合するネジ溝を設け、さらにその外周にはボトムキャップフィン（翼）１２が形成されている。この実施例１においては、４枚のフィン（翼）１２が形成されている。
【００１７】
本発明のＬＥＤによる釣り用発光オモリの組立は、先ず、トップキャップ部１とＬＥＤ光拡散合成樹脂製本体部２とを、Ｏリング８を介して水密に系合する。Ｏリング８は、丸いゴムパッキンである。
次いで、ＬＥＤ光拡散合成樹脂製本体部２下部のネジ溝と樹脂製オモリ台３上部のネジ山とを係合する。
さらに、樹脂製オモリ台３下部のボルト１１に、オモリ部４を挿入し、次いで四角ナット１３でオモリ部４を固定し、さらにボトムキャップ部５のネジ溝に係合する。
かくして、本発明のＬＥＤによる釣り用発光オモリが完成する。
【実施例２】
【００１８】
実施例２は、実施例１における樹脂製オモリ台３およびオモリ部４を、各種類の号数のオモリと交換して、付替えすることができるものである。
そのことを図３に示す。
この例では、オモリの号数を２０号から５０号までの４種類を示した。
オモリの号数は、これらに限られるものではなく、７０号、９０号、１１０号、および１４０号までの対応が可能である。
【実施例３】
【００１９】
実施例３は、実施例２における１個の号数のオモリに対して、さらに１個のオモリを追加して、２個のオモリとすることができる例である。
そのことを図４に示す。
この図４の例では、２０号のオモリを装着したＬＥＤによる釣り用発光オモリにおいて、先ず、ボトムキャップ部５を外し、２０号のオモリの下に、さらに１０号のオモリ（４０ｇ）を追加するものである。そして、ボトムキャップ部５を締める。
そのことにより、３０号のオモリを装着したＬＥＤによる釣り用発光オモリと同じことにすることができる。
この第４図では、２０号のオモリを装着したＬＥＤによる釣り用発光オモリについて説明したが、実施例２の３０号から５０号のオモリについても同じように、さらに１０号のオモリを追加するすることができる。
そのことにより、３０号から５０号のオモリを装着したＬＥＤによる釣り用発光オモリを、４０号から６０号のオモリを装着したこと同じことにすることができる。
そのことを図５に示す。
【実施例４】
【００２０】
実施例４は、実施例２の３０号のオモリを装着したＬＥＤによる釣り用発光オモリ（フィン有り）と、前出願（特許文献４）の３０号のオモリを装着した釣り用発光オモリ（フィン無し）とを使用して、実際に水中に沈めた場合の比較を示すものである。
図６に沈下軌跡の比較を示す。
図６に示すように、本発明のＬＥＤによる釣り用発光オモリ（フィン有り）は、前出願（特許文献４）の釣り用発光オモリ（フィン無し）と比較して、ブレが無いことが明らかである。
すなわち、本発明のＬＥＤによる釣り用発光オモリ（フィン有り）は、オモリを沈下させる場合に、回転せずに、真っ直ぐ（直進性）沈めさせることができる。
また、図７に沈下速度の比較を示す。
図７に示すように、本発明のＬＥＤによる釣り用発光オモリ（フィン有り）は、前出願（特許文献４）の釣り用発光オモリ（フィン無し）と比較して、沈下速度が速いことが明らかである。
【産業上の利用可能性】
【００２１】
以上により、本発明の特徴を説明してきたが、さらに、ＬＥＤ光拡散合成樹脂製本体部２の透明合成樹脂の表面を顔料系塗料で着色することができる。後から着色した方が、着色合成樹脂を使用するよりも光の透過性が高くなるためである。
この表面着色により、（１）光の拡散性がより高まる、（２）着色の色を発光ＬＥＤの色と同じにしておけば、釣り用発光オモリの識別が容易になる。
また、ＬＥＤの発光によるために、長時間の発光または点滅が可能である。新しい電池１０で５０時間以上が可能である。ＬＥＤ光の種類により差があるが、長いものでは１００時間以上も可能である。
さらに、オモリ部４の各号数の付替え用オモリによって、釣り場の環境の違いで、水深や潮流が異なってもオモリ部４のオモリを交換することや、さらにオモリを付加えることで、状況に合わせたオモリの号数（重さ）の選択が可能になる。
なお、ＬＥＤ光拡散合成樹脂製本体部２の内部の詳細については、前出願（特許文献４）と同じなので、詳細は省略したが、前出願と同じように、ＬＥＤ光の点滅、赤外線により遠隔制御、およびＰＣによる書込み制御ができるものである。
【符号の説明】
【００２２】
１      トップキャップ部
２      ＬＥＤ光拡散合成樹脂製本体部
３      樹脂製オモリ台
４      オモリ部
５      ボトムキャップ部
６      道糸フック部
７      道糸取り付け穴
８      Ｏリング
９      トップキャップフィン（翼）
１０    電池
１１    ボルト
１２    ボトムキャップフィン（翼）
１３    四角ナット
【図１】
2013192520.tif 000003
【図２】
2013192520.tif 000004
【図３】
2013192520.tif 000005
【図４】
2013192520.tif 000006
【図５】
2013192520.tif 000007
【図７】
2013192520.tif 000008
【図６】
2013192520.tif 000009